(57)【要約】【課題】像面湾曲を効果的に変化させることが可能なアタッチメント光学系を提供する。【解決手段】撮像光学系に着脱可能なアタッチメント光学系（ＡＬ）であって、互いの間隔を変化させることが可能な前群（ＦＵ）および後群（ＲＵ）を有し、前群（ＦＵ）および後群（ＲＵ）はそれぞれ、参照球面が同符号の非球面を１面以上有する。【選択図】図１
2018159876.tif 000002
【特許請求の範囲】
【請求項１】
撮像光学系に着脱可能なアタッチメント光学系であって、
互いの間隔を変化させることが可能な前群および後群を有し、
前記前群および前記後群はそれぞれ、参照球面が同符号の非球面を１面以上有することを特徴とするアタッチメント光学系。
【請求項２】
前記前群の前記非球面は、該前群の最も像側の面であり、
前記後群の前記非球面は、該後群の最も物体側の面であることを特徴とする請求項１に記載のアタッチメント光学系。
【請求項３】
光軸から高さｈにおける前記前群の前記非球面と前記後群の前記非球面との間の距離をＸｈ、該後群の該非球面の有効径をＥＡ、０＜ｈ＜ＥＡにおける前記距離Ｘｈの最大値をＸｍａｘ、最小値をＸｍｉｎとするとき、
｜（Ｘｍａｘ−Ｘｍｉｎ）／ＥＡ｜＜０．１０
なる条件を満足することを特徴とする請求項１または２に記載のアタッチメント光学系。
【請求項４】
前記前群と前記後群との前記間隔を最大限変化させた際における軸上のピント位置の変化量をＳ１、軸外のピント位置の変化量をＳ２とするとき、
｜Ｓ１／Ｓ２｜＜０．０１  
なる条件を満足することを特徴とする請求項１乃至３のいずれか１項に記載のアタッチメント光学系。
【請求項５】
前記前群の前記非球面および前記後群の前記非球面の一方は、周辺部に向かって正の屈折力が強まる形状であり、他方は周辺部に向かって負の屈折力が弱まる形状であることを特徴とする請求項１乃至４のいずれか１項に記載のアタッチメント光学系。
【請求項６】
前記前群および前記後群はそれぞれ、１枚のレンズからなることを特徴とする請求項１乃至５のいずれか１項に記載のアタッチメント光学系。
【請求項７】
前記前群の非球面レンズおよび前記後群の非球面レンズはそれぞれ、樹脂レンズであることを特徴とする請求項１乃至６のいずれか１項に記載のアタッチメント光学系。
【請求項８】
前記前群の非球面レンズの材料の屈折率をＮ１、前記後群の非球面レンズの材料の屈折率をＮ２とするとき、
０．９５＜Ｎ１／Ｎ２＜１．０５
なる条件を満足することを特徴とする請求項１乃至７のいずれか１項に記載のアタッチメント光学系。
【請求項９】
前記前群と前記後群との間の最小の間隔をＤｍｉｎ、最大の間隔をＤｍａｘとするとき、
０．０＜Ｄｍｉｎ／Ｄｍａｘ＜０．２０
なる条件を満足することを特徴とする請求項１乃至８のいずれか１項に記載のアタッチメント光学系。
【請求項１０】
互いの間隔を変化させることが可能な前群および後群を有し、
前記前群および前記後群はそれぞれ、参照球面が同符号の非球面を１面以上有することを特徴とする撮像光学系。
【請求項１１】
開口絞りを更に有し、
前記前群および後群に含まれるレンズ面のうち前記開口絞りから最も遠いレンズ面の頂点から該開口絞りまでの距離をＬｓ、前記撮像光学系のうち最も物体側の面から像面までの距離をＬとするとき、
０．２＜｜Ｌｓ／Ｌ｜＜０．６
なる条件を満足することを特徴とする請求項１０に記載の撮像光学系。
【請求項１２】
請求項１０または１１に記載の撮像光学系と、
前記撮像光学系を介して形成された光学像を受光する撮像素子と、を有することを特徴とする撮像装置。
【発明の詳細な説明】
【技術分野】
【０００１】
本発明は、像面湾曲可変レンズに関し、特にレンズ交換式の一眼レフカメラ、ミラーレスカメラ、デジタルビデオカメラ等での使用に適して用いられる。
【背景技術】
【０００２】
従来から、一眼レフカメラ等のアタッチメントレンズとして、撮影レンズに取り付けて光学特性を変更することが可能な光学系が提案されている。特許文献１には、撮影レンズの像側に装着したコンバータレンズ群により球面収差を連続的に変化させることが可能な収差可変光学系が開示されている。
【先行技術文献】
【特許文献】
【０００３】
【特許文献１】特開平１０−６８８８０号公報
【発明の概要】
【発明が解決しようとする課題】
【０００４】
しかしながら、特許文献１には、球面収差以外の収差を変化させる方法について開示されていない。球面収差以外の収差のうち特に像面湾曲が発生すると、周辺部の結像特性が著しく低下するため、後処理によって補正することは難しい。一般的には、光学系の一部のレンズ間隔等を変更することにより像面湾曲を連続的に変化させることはできるが、球面収差や軸上のピント位置等の他の要素（特性）も大きく変化してしまう。
【０００５】
そこで本発明は、像面湾曲を効果的に変化させることが可能なアタッチメント光学系、撮像光学系、および、撮像装置を提供することを目的とする。
【課題を解決するための手段】
【０００６】
本発明の一側面としてのアタッチメント光学系は、撮像光学系に着脱可能なアタッチメント光学系であって、互いの間隔を変化させることが可能な前群および後群を有し、前記前群および前記後群はそれぞれ、参照球面が同符号の非球面を１面以上有する。
【０００７】
本発明の他の側面としての撮像光学系は、開口絞りを備えたズーム群と、互いの間隔を変化させることが可能な前群および後群を備えた調整群とを有し、前記前群および前記後群はそれぞれ、参照球面が同符号の非球面を１面以上有する。
【０００８】
本発明の他の側面としての撮像装置は、撮像光学系と、前記撮像光学系を介して形成された光学像を受光する撮像素子とを有する。
【０００９】
本発明の他の目的及び特徴は、以下の実施例において説明される。
【発明の効果】
【００１０】
本発明によれば、像面湾曲を効果的に変化させることが可能なアタッチメント光学系、撮像光学系、および、撮像装置を提供することができる。
【図面の簡単な説明】
【００１１】
【図１】実施例１におけるアタッチメントレンズを装着したズームレンズの広角端での断面図（効果最小時）である。
【図２】実施例１におけるアタッチメントレンズを装着したズームレンズの広角端での断面図（効果最大時）である。
【図３】実施例１におけるアタッチメントレンズを装着したズームレンズの広角端での収差図（効果最小時）である。
【図４】実施例１におけるアタッチメントレンズを装着したズームレンズの広角端での収差図（効果最大時）である。
【図５】実施例１におけるアタッチメントレンズを装着していないズームレンズの広角端での収差図である。
【図６】実施例１におけるアタッチメントレンズを装着したズームレンズの望遠端での収差図（効果最小時）である。
【図７】実施例１におけるアタッチメントレンズを装着したズームレンズの望遠端での収差図（効果最大時）である。
【図８】実施例１におけるアタッチメントレンズを装着していないズームレンズの望遠端での収差図である。
【図９】実施例２におけるズームレンズの広角端での断面図（効果最小時）である。
【図１０】実施例２におけるズームレンズの広角端での断面図（効果最大時）である。
【図１１】実施例２におけるズームレンズの広角端での収差図（効果最小時）である。
【図１２】実施例２におけるズームレンズの広角端での収差図（効果最大時）である。
【図１３】実施例２におけるズームレンズの望遠端での収差図（効果最小時）である。
【図１４】実施例２におけるズームレンズの望遠端での収差図（効果最大時）である。
【図１５】各実施例における撮像装置の概略図である。
【発明を実施するための形態】
【００１２】
以下、本発明の実施例について、図面を参照しながら詳細に説明する。
【実施例１】
【００１３】
まず、図１乃至図８を参照して、本発明の実施例１におけるアタッチメントレンズおよびズームレンズについて説明する。図１は、アタッチメントレンズ（アタッチメント光学系）を装着したズームレンズ（撮像光学系）の広角端における断面図（効果最小時）である。図２は、アタッチメントレンズを装着したズームレンズの広角端における断面図（効果最大時）である。
【００１４】
図１および図２に示されるように、本実施例のアタッチメントレンズＡＬ（アタッチメント光学系）は、マスターレンズＭＬ（撮像光学系としてのズームレンズ）の像側において着脱可能に取り付けられている。ただし、本実施例はこれに限定されるものではなく、アタッチメント光学系をズームレンズの物体側に取り付け可能に構成してもよい。
【００１５】
マスターレンズＭＬは、物体側から像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４、負の屈折力の第５レンズ群Ｌ５、および、正の屈折力の第６レンズ群Ｌ６を有する。またマスターレンズＭＬは、開口絞りＳＰおよびフレアカット絞りＦＳを有する。マスターレンズＭＬは、光軸ＯＡに沿った方向（光軸方向）における各レンズ群の間隔を変化させることにより、変倍（ズーミング）を行う。ＩＰは像面であり、ビデオカメラやデジタルスチルカメラの撮像光学系として使用する際にはＣＣＤセンサやＣＭＯＳセンサなどの撮像素子（光電変換素子）の撮像面が置かれる。また、銀塩フィルム用カメラの撮像光学系として使用する場合には、フィルム面に相当する感光面が置かれる。
【００１６】
アタッチメントレンズＡＬは、前群ＦＵおよび後群ＲＵを有する。前群ＦＵおよび後群ＲＵは、光軸方向における互いに間隔（互いの相対的な距離）を変化させることが可能である。本実施例において、アタッチメントレンズＡＬの前群ＦＵおよび後群ＲＵはそれぞれ、近軸の焦点距離が無限大となっており、光軸方向に移動してもピント変動が実質的に発生しない。
【００１７】
また本実施例において、アタッチメントレンズＡＬの前群ＦＵおよび後群ＲＵはそれぞれ、参照球面が同符号の非球面を１面以上有する。ここで、参照球面とは、非球面レンズ面上の面頂点と光線有効径における点とを通る球面である。このような構成において、前群ＦＵと後群ＲＵとの間隔を小さくすると、前群ＦＵの非球面効果と後群ＲＵの非球面効果とが互いに打ち消し合う関係となる。一方、前群ＦＵと後群ＲＵとの間隔を大きくすると、前群ＦＵの非球面効果と後群ＲＵの非球面効果のうち、開口絞りＳＰに近い側の非球面効果に対して、開口絞りＳＰから遠い側の非球面効果が強く働く。このため、本実施形態のアタッチメントレンズＡＬをマスターレンズＭＬに取り付けることにより、像面湾曲を任意かつ効果的に変化させることができる。本実施形態において、前群ＦＵの非球面は前群ＦＵの最も像側の面であり、後群ＲＵの非球面は後群ＲＵの最も物体側の面である。ただし本実施形態はこれに限定されるものではない。
【００１８】
好ましくは、アタッチメントレンズＡＬは、以下の条件式（１）を満足する。
【００１９】
｜（Ｘｍａｘ−Ｘｍｉｎ）／ＥＡ｜＜０．１０  …（１）
条件式（１）において、ＥＡは後群ＲＵの非球面の有効径である。Ｘｍａｘ、Ｘｍｉｎはそれぞれ、０＜ｈ＜ＥＡの範囲内において、光軸ＯＡからの高さｈにおける前群ＦＵの非球面と後群ＲＵの非球面との間の距離Ｘｈの最大値および最小値である。条件式（１）は、前群ＦＵと後群ＲＵのそれぞれの非球面形状の好ましい関係を規定している。条件式（１）の範囲を超えると、前群ＦＵと後群ＲＵとの間隔を最小にしても、非球面効果のキャンセル効果が十分に働かず、非球面効果を十分に弱めることができない。
【００２０】
好ましくは、アタッチメントレンズＡＬは、以下の条件式（２）を満足する。
【００２１】
｜Ｓ１／Ｓ２｜＜０．０１                    …（２）
条件式（２）において、Ｓ１、Ｓ２はそれぞれ、前群ＦＵと後群ＲＵとの間隔を最大限変化させた際における軸上のピント位置の変化量、および、軸外のピント位置の変化量である。条件式（２）は、前群ＦＵと後群ＲＵとの間隔を変化させた際に、軸上の近軸ピント位置と、軸外のピント位置を示す像面湾曲量との好ましい比率を規定している。条件式（２）の範囲を超えると、像面湾曲を大きく変化させた際に、軸上のピント位置も大きく変動してしまう。その結果、ピントを再調整することが必要となり、または、ピントを十分に合わせることができなくなるため、好ましくない。
【００２２】
好ましくは、前群ＦＵの非球面および後群ＲＵの非球面の一方は、周辺部に向かって正の屈折力が強まる形状であり、他方は周辺部に向かって負の屈折力が弱まる形状である。また好ましくは、前群ＦＵおよび後群ＲＵはそれぞれ、１枚のレンズからなる。また好ましくは、前群ＦＵの非球面レンズおよび後群ＲＵの非球面レンズはそれぞれ、樹脂レンズ（例えば、射出成形により製造された樹脂レンズ）である。
【００２３】
好ましくは、アタッチメントレンズＡＬは、以下の条件式（３）を満足する。
【００２４】
０．９５＜Ｎ１／Ｎ２＜１．０５              …（３）
条件式（３）において、Ｎ１は前群ＦＵの非球面レンズの材料の屈折率、Ｎ２は後群ＲＵの非球面レンズの材料の屈折率である。条件式（３）は、前群ＦＵの非球面レンズおよび後群ＲＵの非球面レンズの硝材の屈折率の好ましい関係を規定している。条件式（３）の範囲を超えると、各非球面レンズの屈折率差が大きくなり過ぎるため、各非球面レンズの間隔を最小としても非球面効果のキャンセル関係が働かず、非球面効果を十分に弱めることができない。
【００２５】
好ましくは、アタッチメントレンズＡＬは、以下の条件式（４）を満足する。
【００２６】
０．０＜Ｄｍｉｎ／Ｄｍａｘ＜０．２０        …（４）
条件式（４）において、Ｄｍｉｎ、Ｄｍａｘはそれぞれ、前群ＦＵと後群ＲＵとの間の最小の間隔および最大の間隔である。条件式（４）は、前群ＦＵと後群ＲＵとの最小の間隔と最大の間隔との関係を規定している。条件式（４）の上限を上回ると、前群ＦＵと後群ＲＵとの間隔の変化量が小さいため、効果の調整範囲が限定され、効果を十分に弱めることや強めることが難しい。条件式（４）の下限を下回ると、前群ＦＵと後群ＲＵとの最小の間隔が小さくなり過ぎて互いに隣接するレンズが接触し、または、最大の間隔が大きくなり過ぎてレンズ全系が大型化するため、好ましくない。
【００２７】
好ましくは、アタッチメントレンズＡＬは、以下の条件式（５）を満足する。
【００２８】
０．２＜｜Ｌｓ／Ｌ｜＜０．６                      …（５）
条件式（５）において、ＬｓはアタッチメントレンズＡＬ（前群ＦＵおよび後群ＲＵ）のうち開口絞りＳＰから最も遠いレンズ面の頂点から開口絞りＳＰまでの距離、ＬはマスターレンズＭＬのうち最も物体側の面から像面ＩＰまでの距離である。条件式（５）は、開口絞りＳＰとアタッチメントレンズＡＬとの好ましい距離の関係を規定している。条件式（５）の上限を上回ると、開口絞りＳＰとアタッチメントレンズＡＬとの距離が大き過ぎるため、十分な非球面効果を得るために前群ＦＵと後群ＲＵとの間隔を大きくとる必要があり、レンズ前系の大型化につながる。一方、条件式（５）の下限を下回ると、アタッチメントレンズＡＬが開口絞りＳＰに近過ぎるため、非球面により像面湾曲のみを変動させることは困難であり、同時に球面収差等も変動してしまう。
【００２９】
図３は、アタッチメントレンズＡＬを装着したズームレンズの広角端（Ｗ）での収差図（効果最小時）である。図４は、アタッチメントレンズＡＬを装着したズームレンズの広角端での収差図（効果最大時）である。図５は、アタッチメントレンズＡＬを装着していないズームレンズの広角端での収差図である。図６は、アタッチメントレンズＡＬを装着したズームレンズの望遠端（Ｔ）での収差図（効果最小時）である。図７は、アタッチメントレンズＡＬを装着したズームレンズの望遠端での収差図（効果最大時）である。図８は、アタッチメントレンズＡＬを装着していないズームレンズの望遠端での収差図である。各収差図において、Ｍ、Ｓはそれぞれ、メリディオナル像面およびサジタル像面であり、倍率色収差はｇ線により表している。ωは半画角、ＦｎｏはＦナンバーである。
【００３０】
なお本実施例において、アタッチメントレンズＡＬは、前群ＦＵと後群ＲＵとから構成されているが、これに限定されるものではない。アタッチメントレンズＡＬは、前群ＦＵおよび後群ＲＵ以外の他の群を含んでもよい。すなわち、アタッチメントレンズＡＬは少なくとも二つのレンズ（レンズ群）を含み、これらの二つのレンズ（レンズ群）が前群および後群として機能すればよい。
【００３１】
本実施例のアタッチメントレンズＡＬによれば、像面湾曲を任意の量だけ変化させることができる。
【実施例２】
【００３２】
次に、図９乃至図１４を参照して、本発明の実施例２におけるズームレンズ（撮像レンズまたは撮像光学系）について説明する。図９は、ズームレンズの広角端での断面図（効果最小時）である。図１０は、ズームレンズの広角端での断面図（効果最大時）である。
【００３３】
図９および図１０に示されるように、本実施例のズームレンズ（撮像光学系）は、ズーム群ＺＵと調整群ＡＵとを備えて構成される。ズーム群ＺＵは、実施例１のズームレンズと同様に、物体側から像側へ順に、第１レンズ群Ｌ１、第２レンズ群Ｌ２、第３レンズ群Ｌ３、第４レンズ群Ｌ４、第５レンズ群Ｌ５、および、第６レンズ群Ｌ６を有する。またズーム群ＺＵは、開口絞りＳＰおよびフレアカット絞りＦＳを有する。ズーム群ＺＵは、光軸ＯＡに沿った方向（光軸方向）における各レンズ群の間隔を変化させることにより、変倍（ズーミング）を行う。調整群ＡＵは、ズームレンズの最も像側に設けられており、光軸方向における互いの間隔を変化させることが可能な前群ＦＵおよび後群ＲＵを備えた像面湾曲調整群である。前群ＦＵおよび後群ＲＵはそれぞれ、実施例１と同様に、参照球面が同符号の非球面を１面以上有する。また前群ＦＵおよび後群ＲＵはそれぞれ、緩い正の屈折力を有し、光軸方向に移動した際のピント変動が小さくなるように抑制される。好ましくは、調整群ＡＵは、条件式（１）〜（５）の少なくとも一つを満足する。
【００３４】
図１１は、ズームレンズの広角端（Ｗ）での収差図（効果最小時）である。図１２は、ズームレンズの広角端での収差図（効果最大時）である。図１３は、ズームレンズの望遠端（Ｔ）での収差図（効果最小時）である。図１４は、ズームレンズの望遠端での収差図（効果最大時）である。各収差図において、Ｍ、Ｓはそれぞれ、メリディオナル像面およびサジタル像面であり、倍率色収差はｇ線により表している。ωは半画角、ＦｎｏはＦナンバーである。
【００３５】
以下、実施例１に対応する数値実施例１、および、実施例２に対応する数値実施例２を示す。各数値実施例において、ｉは物体側からの面の順序（面番号）を示す。また、ｒｉは物体側から順に第ｉ番目のレンズ面（第ｉ面）の曲率半径、ｄｉは第ｉ面と第（ｉ＋１）面との間の間隔を示す。ｎｄｉとνｄｉはそれぞれ、ｄ線を基準としたレンズ材料の屈折率およびアッベ数である。ＢＦは、レンズ最終面から近軸像面までの空気換算長である。なお、長さに関する値の単位は、特に記載がない場合には、ｍｍである。表１は、各数値実施例における条件式（１）〜（５）の値を示すテーブルである。
【００３６】
（数値実施例１）
単位 mm
面データ（27〜30面は脱着可能なアタッチメントレンズ）
面番号       ri       di      ndi      νdi       有効径
1         30.000    1.60   1.77250    49.6       37.45
2         18.850    4.50                         31.64
3*        26.555    2.50   1.53110    55.9       31.50
4*        22.754    4.00                         29.33
5       -586.400    1.25   1.69680    55.5       29.45
6         21.473    0.50                         26.46
7         21.403    4.50   1.80809    22.8       26.58
8         43.781  (可変)                         25.57
9*       113.037    2.00   1.53110    55.9       13.30
10        -62.214  (可変)                         13.30
11        -25.577    1.00   1.53110    55.9       12.10
12*        69.090  (可変)                         12.48
13       3436.015    2.00   1.53110    55.9       13.25
14*       -32.138    0.15                         13.56
15         24.000    4.00   1.60311    60.6       13.96
16        -23.373    0.75   1.84666    23.9       13.86
17        -53.850    1.00                         13.91
18(絞り)    ∞     (可変)                         13.68
19       -775.077    0.60   1.58144    40.8       12.14
20         13.120    2.10   1.80610    33.3       11.79
21         23.477    1.00                         11.40
22          ∞     (可変)                         11.37
23       1993.370    1.70   1.53110    55.9       16.20
24*       129.782    0.90                         16.95
25         39.224    3.30   1.48749    70.2       18.09
26        -43.398  (可変)                         18.47
27          ∞       1.00   1.53110    55.9       30.00
28*         ∞     (可変)                         30.00
29*         ∞       1.00   1.53110    55.9       30.00
30          ∞     (可変)                         30.00                            
像面        ∞   
非球面データ
第3面
K = 4.32691e-001  A 4=-2.01075e-005  A 6=-5.77042e-008  A 8= 2.18817e-010  A10= 7.74314e-014  
第4面
K =-8.80639e-001  A 4=-1.89233e-005  A 6=-8.57520e-008  A 8= 4.23972e-010  A10=-5.11033e-014  
第9面
K = 6.06800e+001  A 4=-2.73271e-006  A 6=-9.63836e-008  A 8= 1.03681e-009  
第12面
K = 3.45986e+001  A 4=-1.72460e-006  A 6=-2.27910e-007  A 8= 2.66175e-009  
第14面
K = 6.16063e+000  A 4= 1.73713e-005  A 6= 1.56379e-007  A 8=-5.99782e-010  
第24面
K =-5.25180e+001  A 4= 3.24345e-005  A 6= 6.21489e-008  A 8=-4.19270e-010  A10= 4.06004e-012  
第28面
K = 0.00000e+000  A 4=-4.91076e-006  A 6=-1.04975e-008  A 8= 7.59942e-011  A10=-9.51763e-014  
第29面
K = 0.00000e+000  A 4=-4.91076e-006  A 6=-1.04975e-008  A 8= 7.59942e-011  A10=-9.51763e-014  
各種データ
ズーム比      2.88 
焦点距離      18.58    53.49  
Fナンバー      3.56     5.87  
画角          36.32    14.32  
像高          13.66    13.66  
レンズ全長   126.24   126.06  
BF            11.55    11.55  
d 8           32.96     1.28  
d10            3.15     4.29  
d12            2.34     1.20  
d18            3.38    12.35  
d22            9.42     0.44  
＜効果最小時＞
d26           22.00    53.50  
d28            0.10     0.10  
d30           11.55    11.55  
＜効果最大時＞
d26            2.00    43.50  
d28           20.10    10.10  
d30           11.55    11.55  
ズームレンズ群データ
群  始面    焦点距離  
1    1     -29.86  
2    9      75.86  
3   11     -35.02  
4   13      21.61  
5   19     -57.76  
6   23      50.77  
7   27       ∞    
8   29       ∞    
（数値実施例２）
単位 mm
面データ
面番号       ri       di     ndi       νdi      有効径
1         30.000    1.60   1.77250    49.6       37.45
2         18.850    4.50                         31.64
3*        26.555    2.50   1.53110    55.9       31.50
4*        22.754    4.00                         29.33
5       -586.400    1.25   1.69680    55.5       29.45
6         21.473    0.50                         26.46
7         21.403    4.50   1.80809    22.8       26.58
8         43.781  (可変)                         25.57
9*       113.037    2.00   1.53110    55.9       13.30
10        -62.214  (可変)                         13.30
11        -25.577    1.00   1.53110    55.9       12.10
12*        69.090  (可変)                         12.48
13       3436.015    2.00   1.53110    55.9       13.25
14*       -32.138    0.15                         13.56
15         24.000    4.00   1.60311    60.6       13.96
16        -23.373    0.75   1.84666    23.9       13.86
17        -53.850    1.00                         13.91
18(絞り)    ∞     (可変)                         13.68
19       -775.077    0.60   1.58144    40.8       12.14
20         13.120    2.10   1.80610    33.3       11.79
21         23.477    1.00                         11.40
22          ∞     (可変)                         11.37
23       1993.370    1.70   1.53110    55.9       16.20
24*       129.782    0.90                         16.95
25         39.224    3.30   1.48749    70.2       18.09
26        -43.398  (可変)                         18.47
27        100.000    1.00   1.62263    58.2       26.00
28*       100.000  (可変)                         26.00
29*      -200.000    1.00   1.58313    59.5       26.00
30       -200.000  (可変)                         26.00
像面        ∞   
非球面データ
第3面
K = 4.32691e-001  A 4=-2.01075e-005  A 6=-5.77042e-008  A 8= 2.18817e-010  A10= 7.74314e-014  
第4面
K =-8.80639e-001  A 4=-1.89233e-005  A 6=-8.57520e-008  A 8= 4.23972e-010  A10=-5.11033e-014  
第9面
K = 6.06800e+001  A 4=-2.73271e-006  A 6=-9.63836e-008  A 8= 1.03681e-009  
第12面
K = 3.45986e+001  A 4=-1.72460e-006  A 6=-2.27910e-007  A 8= 2.66175e-009  
第14面
K = 6.16063e+000  A 4= 1.73713e-005  A 6= 1.56379e-007  A 8=-5.99782e-010  
第24面
K =-5.25180e+001  A 4= 3.24345e-005  A 6= 6.21489e-008  A 8=-4.19270e-010  A10= 4.06004e-012  
第28面
K = 0.00000e+000  A 4=-1.78817e-005  A 6=-9.04733e-008  A 8= 1.55020e-009  A10=-4.59524e-012  
第29面
K = 0.00000e+000  A 4=-1.78817e-005  A 6=-9.04733e-008  A 8= 1.55020e-009  A10=-4.59524e-012  
各種データ
ズーム比      2.88 
焦点距離      18.54    53.37  
Fナンバー      3.55     5.86  
画角          36.39    14.36  
像高          13.66    13.66  
レンズ全長   126.24   126.05  
BF            10.14    10.14  
d 8           32.96     1.28  
d10            3.15     4.29  
d12            2.34     1.20  
d18            3.38    12.35  
d22            9.42     0.44  
＜効果最小時＞
d26           22.00    53.50  
d28            1.50     1.50  
d30           10.14    10.14  
＜効果最大時＞
d26            5.00    30.50 
d28           18.50    24.50
d30            9.99     9.94
ズームレンズ群データ
群  始面    焦点距離  
1    1     -29.86  
2    9      75.86  
3   11     -35.02  
4   13      21.61  
5   19     -57.76  
6   23      50.77  
7   27     41856.16  
8   29     186228.35  
【００３７】
【表１】
2018159876.tif 000003
【００３８】
次に、図１５を参照して、各実施例における撮像光学系（またはアタッチメント光学系を備えた撮像光学系）を用いたデジタルカメラ（撮像装置）について説明する。図１５は、撮像装置１００の概略図である。
【００３９】
図１５において、２０はカメラ本体、２１は各実施例の撮像光学系（またはアタッチメント光学系を備えた撮像光学系）である。２２は、カメラ本体２０に内蔵され、撮像光学系２１を介して形成された光学像（被写体像）を受光するＣＣＤセンサやＣＭＯＳセンサなどの撮像素子（光電変換素子）である。２３は、撮像素子２２により光電変換された被写体像に対応する情報を記録する記憶手段（メモリ）、２４は液晶ディスプレイパネルなどにより構成され、撮像素子２２の上に形成された被写体像を観察するための表示素子（ファインダ）である。
【００４０】
本実施形態によれば、像面湾曲を効果的に変化させることが可能なアタッチメント光学系、撮像光学系、および、撮像装置を提供することができる。
【００４１】
以上、本発明の好ましい実施例について説明したが、本発明はこれらの実施例に限定されず、その要旨の範囲内で種々の変形及び変更が可能である。
【符号の説明】
【００４２】
ＡＬ  アタッチメントレンズ（アタッチメント光学系）
ＦＵ  前群
ＲＵ  後群
【図１】
2018159876.tif 000004
【図２】
2018159876.tif 000005
【図３】
2018159876.tif 000006
【図４】
2018159876.tif 000007
【図５】
2018159876.tif 000008
【図６】
2018159876.tif 000009
【図７】
2018159876.tif 000010
【図８】
2018159876.tif 000011
【図９】
2018159876.tif 000012
【図１０】
2018159876.tif 000013
【図１１】
2018159876.tif 000014
【図１２】
2018159876.tif 000015
【図１３】
2018159876.tif 000016
【図１４】
2018159876.tif 000017
【図１５】
2018159876.tif 000018